(57)【要約】【課題】画像中の主要被写体や背景と地図上の位置との対応関係を呈示する。【解決手段】画像とともに撮影情報が記録された画像データに基づいて画像を表示装置の画像表示領域６ｃに表示するとともに、地図データの中から画像データの撮影情報に基づいて画像の撮影位置と撮影範囲を包含する地図を切り出し、切り出された地図を表示装置の地図表示領域６ｅに表示する。そして、画像表示領域６ｃに表示されている画像上の任意の位置１５の撮影位置からの方位を演算し、演算された画像上の任意の位置１５の方位１６を地図表示領域６ｅに表示されている地図上に表示する。【選択図】図６
2013183217.tif 000002
【特許請求の範囲】
【請求項１】
画像とともに撮影情報が記録された画像データに基づいて前記画像を表示装置の画像表示領域に表示する画像表示手順と、
地図データの中から前記画像データの前記撮影情報に基づいて前記画像の撮影位置と撮影範囲を包含する地図を切り出す地図切り出し手順と、
前記地図切り出し手順で切り出された地図を前記表示装置の地図表示領域に表示する地図表示手順と、
前記画像表示領域に表示されている前記画像上の任意の位置の前記撮影位置からの方位を演算する方位演算手順と、
前記方位演算手段で演算された前記画像上の任意の位置の前記方位を前記地図表示領域に表示されている前記地図上に表示する方位表示手順とをコンピュータに実行させ、
使用者が前記画像上で指定した位置の方位を前記地図上に表示することを特徴とする撮影情報処理プログラム。
【請求項２】
請求項１に記載の撮影情報処理プログラムにおいて、
前記方位演算手順では、前記地図表示領域に表示されている前記地図上の任意の位置の前記撮影位置からの方位を演算し、
前記方位表示手順では、前記方位演算手順で演算された前記地図上の任意の位置の前記方位を前記画像表示領域に表示されている前記画像上に表示し、
使用者が前記地図上で指定した位置の方位を前記画像上に表示することを特徴とする撮影情報処理プログラム。
【請求項３】
請求項１または請求項２に記載の撮影情報処理プログラムにおいて、
前記地図表示手順では、前記撮影情報に基づいて前記地図表示領域の表示地図上に撮影距離を表示することを特徴とする撮影情報処理プログラム。
【請求項４】
請求項１〜３のいずれか一項に記載の撮影情報処理プログラムにおいて、
前記地図表示手順では、前記撮影情報に基づいて前記地図表示領域の表示地図上に被写界深度の階調表示を行うことを特徴とする撮影情報処理プログラム。
【請求項５】
請求項１〜４のいずれか一項に記載の撮影情報処理プログラムにおいて、
前記地図切り出し手順では、３次元地図データの中から前記画像データの前記撮影情報に基づいて前記画像の撮影位置と３次元の撮影範囲を包含する３次元地図を切り出し、
前記地図表示手順では、前記地図切り出し手順で切り出された３次元地図を前記表示装置の地図表示領域に表示するとともに、前記３次元の撮影範囲を四角錐形状で表示することを特徴とする撮影情報処理プログラム。
【請求項６】
請求項１〜５のいずれか一項に記載の撮影情報処理プログラムにおいて、
前記地図切り出し手順では、前記画像表示領域の表示画像上にトリミング領域が設定された場合には前記トリミング領域に応じた地図を切り出し、
前記地図表示手段は、前記地図切り出し手順で切り出された前記トリミング領域に応じた地図を前記地図表示領域に表示することを特徴とする撮影情報処理プログラム。
【請求項７】
請求項６に記載の撮影情報処理プログラムにおいて、
前記トリミング領域の画像に対応する撮影情報を演算する撮影情報演算手順と、
前記トリミング領域の画像と、前記撮影情報演算手順で演算された前記撮影情報とにより前記画像データを更新するデータ更新手順とをさらに有することを特徴とする撮影情報処理プログラム
【請求項８】
画像とともに撮影情報が記録された画像データを記憶する記憶装置と、
表示画面に画像表示領域と地図表示領域を有する表示装置と、
請求項１〜７のいずれか一項に記載の撮影情報処理プログラムを実行するコンピュータとを備えることを特徴とする撮影情報処理装置。
【発明の詳細な説明】
【技術分野】
【０００１】
本発明は、撮影情報処理プログラムおよび撮影情報処理装置に関する。
【背景技術】
【０００２】
画像データとともに記録されている撮影方位と撮影画角のデータに基づいて撮影範囲を求め、地図上に表示するようにしたカメラ装置が知られている。
【先行技術文献】
【特許文献】
【０００３】
【特許文献１】特許第３９２５０５７号
【発明の概要】
【発明が解決しようとする課題】
【０００４】
しかしながら、上述した従来の装置では、地図上で画像全体の撮影範囲は認識できるものの、画像中の主要被写体や背景と地図上の位置との対応関係は認識できない。
【課題を解決するための手段】
【０００５】
(１)  請求項１の発明は、画像とともに撮影情報が記録された画像データに基づいて画像を表示装置の画像表示領域に表示する画像表示手順と、地図データの中から画像データの撮影情報に基づいて画像の撮影位置と撮影範囲を包含する地図を切り出す地図切り出し手順と、地図切り出し手順で切り出された地図を表示装置の地図表示領域に表示する地図表示手順と、画像表示領域に表示されている画像上の任意の位置の撮影位置からの方位を演算する方位演算手順と、方位演算手段で演算された画像上の任意の位置の方位を前記地図表示領域に表示されている地図上に表示する方位表示手順と、をコンピュータに実行させ、使用者が画像上で指定した位置の方位を地図上に表示する撮影情報処理プログラムである。
(２)  請求項２の発明は、請求項１に記載の撮影情報処理プログラムにおいて、方位演算手順では、地図表示領域に表示されている地図上の任意の位置の撮影位置からの方位を演算し、方位表示手順では、方位演算手順で演算された地図上の任意の位置の方位を画像表示領域に表示されている画像上に表示し、使用者が地図上で指定した位置の方位を画像上に表示する。
(３)  請求項３の発明は、請求項１または請求項２に記載の撮影情報処理プログラムにおいて、地図表示手順では、撮影情報に基づいて地図表示領域の表示地図上に撮影距離を表示する。
(４)  請求項４の発明は、請求項１〜３のいずれか一項に記載の撮影情報処理プログラムにおいて、地図表示手順では、撮影情報に基づいて地図表示領域の表示地図上に被写界深度の階調表示を行う。
(５)  請求項５の発明は、請求項１〜４のいずれか一項に記載の撮影情報処理プログラムにおいて、地図切り出し手順では、３次元地図データの中から画像データの撮影情報に基づいて画像の撮影位置と３次元の撮影範囲を包含する３次元地図を切り出し、地図表示手順では、地図切り出し手順で切り出された３次元地図を表示装置の地図表示領域に表示するとともに、３次元の撮影範囲を四角錐形状で表示する。
(６)  請求項６の発明は、請求項１〜５のいずれか一項に記載の撮影情報処理プログラムにおいて、地図切り出し手順では、画像表示領域の表示画像上にトリミング領域が設定された場合にはトリミング領域に応じた地図を切り出し、地図表示手段は、地図切り出し手順で切り出されたトリミング領域に応じた地図を地図表示領域に表示する。
(７)  請求項７の発明は、請求項６に記載の撮影情報処理プログラムにおいて、トリミング領域の画像に対応する撮影情報を演算する撮影情報演算手順と、トリミング領域の画像と、撮影情報演算手順で演算された撮影情報とにより画像データを更新するデータ更新手順とをさらに有する。
(８)  請求項８の発明は、画像とともに撮影情報が記録された画像データを記憶する記憶装置と、表示画面に画像表示領域と地図表示領域を有する表示装置と、請求項１〜７のいずれか一項に記載の撮影情報処理プログラムを実行するコンピュータとを備える撮影情報処理装置である。
【発明の効果】
【０００６】
本発明によれば、画像中の主要被写体や背景と地図上の位置との対応関係を呈示することができる。
【図面の簡単な説明】
【０００７】
【図１】一実施の形態の撮影情報処理装置の構成を示す図
【図２】一実施の形態の画像と地図の表示例を示す図
【図３】一実施の形態の撮影情報処理プログラムを示すフローチャート
【図４】図３に続く、一実施の形態の撮影情報処理プログラムを示すフローチャート
【図５】一実施の形態の画像と地図の他の表示例を示す図
【図６】一実施の形態の画像と地図の他の表示例を示す図
【図７】一実施の形態の画像と地図の他の表示例を示す図
【図８】一実施の形態の画像と地図の他の表示例を示す図
【図９】一実施の形態の画像と地図の他の表示例を示す図
【発明を実施するための形態】
【０００８】
一実施の形態の撮影情報処理プログラムを実行するコンピュータを備えた一実施の形態の撮影情報処理装置を説明する。
【０００９】
図１は一実施の形態の撮影情報処理装置の構成を示す。撮影情報処理装置１は記憶装置２、操作装置３、インターフェース４、コンピュータ５、表示装置６、通信装置７などを備えている。記憶装置２はハードディスクなどから構成され、インターフェース４を介してカメラから入手した画像や、通信装置７を介してインターネットから入手した画像などを記憶するとともに、地図情報を記憶する。
【００１０】
なお、一実施の形態において画像とは、デジタルカメラで撮影された静止画像はもちろんのこと、ビデオカメラで撮影された動画像を構成するフレーム画像なども含まれる。また、一実施の形態の画像には画像データに加え、ＧＰＳ受信機、方位センサー（電子コンパス）、傾きセンサーなどから取得した撮影位置、撮影方位、撮影高度、撮影仰角などを示す撮影位置データ、カメラなどの撮影機種や製造番号を示す撮影機種データ、撮影年月日時刻を示す撮影日時データ、撮影時の撮影条件（シャッター速度、絞り値、レンズ型名、焦点距離、撮影距離など）を示す撮影条件データなどが画像データと対応付けて記録され、画像ごとの画像ファイルに収納されている。画像ファイルは撮影日ごと、イベントごとあるいは撮影機種ごとのフォルダーに収納されて記憶装置２に記憶されており、フォルダー単位で読み出しと書き込みが行われる。
【００１１】
操作装置３は図示しないキーボードやマウスなどの操作部材を備えており、使用者が撮影情報処理装置１に対するあらゆる操作、情報や数値などの入力、表示に関する操作、画像出力に関する操作などを行うためのものである。インターフェース４は各種の記録媒体用スロットを備え、各種記録媒体から画像を入力したり、専用ケーブルを介してデジタルカメラやビデオカメラから直接、画像を入力したり、あるいは記録媒体やプリンターなどの外部機器へ画像や地図などを出力する。
【００１２】
コンピュータ５はＣＰＵ５ａやメモリ５ｂを備え、後述する一実施の形態の撮影情報処理プログラムを実行して画像と撮影場所の地図を表示装置６に表示し、地図上において画像の撮影範囲、画像中の主要被写体や背景と地図上の位置との対応関係などを呈示する制御を行う。表示装置６は画像、地図、撮影情報などを表示する。通信装置７は、インターネットを介して画像や地図、あるいは種々の情報の授受を行う。
【００１３】
ここで、表示装置６の表示画面６ａにおける画像と地図の表示形態について説明する。図２は表示装置６の表示画面６ａの表示例を示す。表示画面６ａは縮小画像閲覧領域６ｂ、画像表示領域６ｃ、撮影情報表示領域６ｄ、地図表示領域６ｅに区分されている。縮小画像閲覧領域６ｂは、多くの画像をサムネイル表示する領域である。使用者が画像を閲覧するフォルダーを指定すると、コンピュータ５は、記憶装置２から指定フォルダーに収納されているすべての画像ファイルを読み出し、縮小画像閲覧領域６ｂにすべての画像をサムネイル表示する。この表示例では縮小画像閲覧領域６ｂに２枚の画像を表示した例を示すが、指定フォルダーに多くの画像が収納されている場合には、コンピュータ５は、縮小画像閲覧領域６ｂにとりあえず所定枚数の画像を表示し、使用者により縮小画像閲覧領域６ｂの左右スクロールボタン(不図示)が操作装置３のマウスでクリックされると、縮小画像閲覧領域６ｂの表示画像を切り換える。
【００１４】
画像表示領域６ｃは、縮小画像閲覧領域６ｂに表示されている画像の中から選択された画像を大きく表示する領域である。縮小画像閲覧領域６ｂに表示されている画像の内のいずれかの画像が使用者による操作装置３のマウスでクリックされると、コンピュータ５は、クリックされた縮小画像の枠を太く表示するとともに、その画像を画像表示領域６ｃに大きく表示する。
【００１５】
撮影情報表示領域６ｄは、画像表示領域６ｃに表示されている画像の撮影情報を表示する領域である。上述したように、それぞれの画像ファイルには画像データの他に、撮影位置や撮影方位などを示す撮影位置データ、カメラなどの撮影機種や製造番号を示す撮影機種データ、撮影年月日時刻を示す撮影日時データ、撮影条件を示す撮影条件データなどが記録されており、コンピュータ５は、撮影情報の内、予め設定された情報、例えば撮影日時、撮影場所、撮影条件、撮影機種などを撮影情報表示領域６ｄに表示する。
【００１６】
地図表示領域６ｅは、画像表示領域６ｃに表示されている画像を撮影した場所の地図を表示する領域である。それぞれの画像ファイルには、撮影時にＧＰＳ受信機や方位センサー（電子コンパス）により測定した撮影位置や撮影方位などを示す撮影位置データと撮影条件を示す撮影条件データなどの撮影情報が記録されており、コンピュータ５は、撮影位置、撮影方位、撮影距離、被写界深度、撮影画角などの撮影情報に基づいて、撮影位置から主要被写体と背景を含む撮影範囲までを包含する地図領域を演算する。そして、記憶装置２に記憶されている地図情報から算出結果の地図領域の地図データを切り出し、地図表示領域６ｅに地図を表示する。さらに、その地図上に撮影位置、撮影距離、被写界深度、撮影画角などの撮影情報を重畳して表示する。
【００１７】
図２に示す表示例では、地図表示領域６ｅに撮影位置と撮影範囲を包含する領域の地図が表示され、その地図上に撮影位置１１、撮影距離（図中に「２．２ｍ」と記載）１２、被写界深度１３、撮影画角１４が重畳して表示されている。撮影位置１１は地図上に黒丸で示され、撮影距離１２はメートル単位の数値で示される。被写界深度１３は、図２に示すように深度に応じたグラデーションをつけて表示される。撮影画角１４は、撮影方位を中心とした実際に撮影画面に写り込む範囲が撮影位置１１から放射方向に延びる２本の直線で示される。
【００１８】
図３および図４は、一実施の形態の撮影情報処理プログラムを示すフローチャートである。撮影情報処理装置１の電源が投入されると、コンピュータ５のＣＰＵ５ａは図３に示す撮影情報処理プログラムのステップ（図中“Ｓ”で示す）の順に撮影情報処理を実行する。ステップ１において、使用者が記憶装置２に収納されている画像フォルダーの中からいずれかのフォルダーを選択したか否かを確認する。この一実施の形態では、すべての画像がフォルダーおよびサブフォルダーに収納されて記憶装置２に記憶されているものとして説明を行うが、インターネットなどの複数のロケーションに点在する画像を通信装置７を介してインポートし、仮想的なフォルダーを構成して収納し、画像のグループ化を行ってもよい。
【００１９】
使用者がフォルダーを選択したらステップ２へ進み、選択されたフォルダー内に収納されている画像ファイルをメモリ５ｂへ読み出す。上述したように、各画像ファイルには画像データの他に、撮影位置データ、撮影機種データ、撮影日時データ、撮影条件データなどが画像に対応付けて記憶されている。ステップ３では、メモリ５ｂへ読み出された画像を縮小画像閲覧領域６ｂにサムネイル表示する。
【００２０】
ステップ４において、使用者が縮小画像閲覧領域６ｂに表示されている縮小画像の中からいずれかの縮小画像を選択したか否かを確認し、いずれかの縮小画像が選択されたからステップ５へ進む。ステップ５では、図２に示すように、縮小画像閲覧領域６ｂに表示されている縮小画像の内の使用者に選択された縮小画像の枠を太く表示するとともに、その縮小画像を画像表示領域６ｃに拡大表示する。続くステップ６では、画像表示領域６ｃに拡大表示した画像の撮影情報を撮影情報表示領域６ｄに表示する。
【００２１】
ステップ７において、画像表示領域６ｃに拡大表示した画像の撮影位置、撮影方位、撮影距離、被写界深度、撮影画角などの撮影情報に基づいて、撮影位置から主要被写体と背景を含む撮影範囲までを包含する地図領域を演算し、記憶装置２に記憶されている地図情報から算出結果の地図領域の地図データを読み出し、地図表示領域６ｅにその地図を表示する。さらに、図２に示すように、その地図上に撮影位置１１、撮影距離１２、被写界深度１３、撮影画角１４などの撮影情報を重畳して表示する。被写界深度は、使用レンズの焦点距離と撮影時の絞り値、および撮影距離から算出できるが、予め、図１の記憶装置２内にその対応表が格納されているものとする。
【００２２】
ステップ８で、使用者により表示地図の表示位置を変更する操作、または表示地図を拡大または縮小する操作が行われたか否かを確認し、位置変更または拡縮操作が行われるとステップ９へ進み、地図表示領域６ｅに表示されている地図の表示位置または表示倍率を変更し、地図を更新して地図上に撮影情報を重畳表示する。
【００２３】
地図表示領域６ｅに表示される地図の表示位置と表示倍率は、操作装置３のマウスを操作することによって変更することができる。マウスポインターが地図上の任意の位置にセットされている状態で、使用者によりマウス左ボタンのドラッグ＆ドロップ操作が行われると、コンピュータ５は、上記位置を使用者によるドラッグ＆ドロップ操作に応じて移動して地図表示領域６ｅに表示されている地図の領域を変更する。また、使用者によりマウスのセンターホイール操作が行われると、コンピュータ５は、ホイールの回転方向と回転量に応じて地図表示領域６ｅに表示されている地図を拡大または縮小する。例えば、図２に示す地図表示領域６ｅの地図表示状態において使用者により地図拡大操作が行われると、図５に示すように地図表示領域６ｅに拡大した地図を表示する。
【００２４】
ステップ１０において、使用者が画像表示領域６ｃに表示されている画像上のいずれかの被写体に操作装置３のマウスカーソルを設定したか否かを判別し、カーソルが設定されるとステップ１１へ進む。ステップ１１では、画像上のカーソル設定位置の撮影位置から見た方位を地図表示領域６ｅに表示された地図上に重畳表示する。
【００２５】
図６に示すように、使用者により画像表示領域６ｃの表示画像の中の背景の建造物にカーソル１５が設定されると、コンピュータ５は、画像中心とカーソル設定位置とのなす角度を周知の方法（例えば、特開２００６−２０３３４７号公報参照）により演算し、画像ファイルに画像とともに記録されている画像の撮影方位（画像中心の方位）に演算結果の角度を加算または減算して画像上のカーソル位置の方位を算出する。そして、地図表示領域６ｅの表示地図上に、画像上のカーソル位置の方位を示す矢印１６を重畳して表示する。さらに、コンピュータ５は、記憶装置２に記憶されている地図情報から矢印１６の方位に存在する建造物の名称を検索し、画像表示領域６ｃのカーソル１５の近くに建造物の名称を表示する。
【００２６】
ステップ１２では、使用者が地図表示領域６ｅの表示地図の中のいずれかの位置に操作装置３のマウスカーソルを設定したか否かを判別し、カーソルが設定されるとステップ１３へ進む。ステップ１３では、地図上のカーソル設定位置の方位に相当する位置を画像表示領域６ｃに表示された画像上に重畳表示する。
【００２７】
図７に示すように、使用者により地図表示領域６ｅの表示地図の中のいずれかにカーソル１５が設定されると、コンピュータ５は、撮影位置１１から見たカーソル位置の方位と撮影方位とのなす角度を演算し、カーソル位置の方位を算出する。そして、画像表示領域６ｃの表示画像上に、カーソル位置の方位に相当する位置に縦線１７を重畳して表示する。さらに、コンピュータ５は、記憶装置２に記憶されている地図情報からカーソル１５の位置に存在する物の名称を検索し、画像表示領域６ｃの縦線１７の近くにその物の名称を表示する。
【００２８】
次に、図４のステップ１４において、使用者が地図表示領域６ｅに３次元地図の表示を要求しているか否かを判別し、３次元地図表示が要求されている場合はステップ１５へ進む。ステップ１５では、地図表示領域６ｅに３次元地図を表示するとともに、その３次元地図上に撮影情報を重畳して表示する。
【００２９】
図８は地図表示領域６ｅに３次元地図を表示した一例を示す。上述したように、画像ファイルには撮影高度と撮影仰角を含む撮影位置データが記録されている。コンピュータ５は、撮影時の撮影位置、撮影距離、被写界深度、撮影画角、撮影高度、撮影仰角などの撮影情報に基づいて立体的な撮影範囲（３次元の撮影範囲）を演算し、地図表示領域６ｅに３次元地図を表示するとともに、その地図上に立体的な撮影範囲を示す四角錐１９と、撮影位置１１、撮影距離１２、被写界深度１３などを重畳して表示する。
【００３０】
ステップ１６において、使用者が画像のトリミングを要求しているか否かを判別し、トリミングの要求があるとステップ１７へ進む。ステップ１７では、使用者により設定されたトリミング領域の画像を切り出し、撮影距離、撮影方位、撮影画角などの撮影情報を再計算する。続くステップ１８で、地図上にトリミング後の撮影情報を重畳して表示する。その後、ステップ１９で、トリミング後の画像データと撮影情報により画像ファイルのデータを更新する。
【００３１】
図９は画像のトリミング例を示す。使用者により画像表示領域６ｃの表示画像に操作装置３のマウスでトリミング領域２０が設定されると、コンピュータ５は、トリミング領域２０の画像を切り出し、トリミング領域２０の画像中心の方位と画角または画角を撮影レンズの焦点距離に換算した値などの撮影情報を再計算する。そして、地図表示領域６ｅの表示地図上にトリミング後の画角２１と、撮影位置１１、撮影距離１２、被写界深度１３、トリミング前の画角１４などの撮影情報を重畳して表示するとともに、トリミング後の画像データと撮影情報により記憶装置２の画像ファイルのデータを更新する。
【００３２】
ステップ２０において、縮小画像閲覧領域６ｂから次の縮小画像が選択されたか否かを確認し、次の縮小画像が選択されたら図３のステップ５へ戻り、上述した処理を繰り返す。次の縮小画像が選択されなければこの撮影情報処理プログラムの実行を終了する。
【００３３】
上述した一実施の形態では、本発明に係わる撮影情報処理プログラムを実行するコンピュータを備えた撮影情報処理装置を例に挙げて説明したが、本発明はこのような実施の形態に限定されず、本発明に係わる撮影情報処理プログラムを記録媒体に記録して提供したり、インターネット等を介して提供し、パーソナルコンピュータ上で実行させる形態としてもよい。この場合には、パーソナルコンピュータ側の記憶装置と表示装置を用い、カメラからあるいはインターネット経由で取り込んだ多くの画像を記憶装置に記憶し、画像と撮影範囲を示す地図を表示する。
【００３４】
また、インターネット等のウエブ・ブラウザー側で本発明に係わる撮影情報処理プログラムを実行し、インターネット等を介して多くのユーザーから画像を収集してサーバーに記憶し、画像と地図をユーザーの表示装置に表示させる形態としてもよい。さらに、本発明に係わる撮影情報処理プログラムをデジタルカメラ、ビデオカメラ、カメラ付き携帯電話機などで実行し、デジタルカメラ、ビデオカメラ、カメラ付き携帯電話機それぞれ単体で本発明の上述した撮影情報処理機能を実現する形態としてもよい。
【００３５】
上述した一実施の形態の画像と地図の表示形態は、図２、図５〜図９に示す一実施の形態の表示形態に限定されるものではない。
【００３６】
なお、上述した実施の形態とそれらの変形例において、実施の形態と変形例とのあらゆる組み合わせが可能である。
【００３７】
上述した実施の形態とその変形例によれば以下のような作用効果を奏することができる。まず、画像とともに撮影情報が記録された画像データに基づいて画像を表示装置６の画像表示領域６ｃに表示するとともに、記憶装置２に記憶されている地図データの中から画像データの撮影情報に基づいて画像の撮影位置と撮影範囲を包含する地図を切り出し、切り出された地図を表示装置６の地図表示領域６ｅに表示する。そして、画像表示領域６ｃに表示されている画像上の任意の位置の撮影位置からの方位を演算し、演算された画像上の任意の位置の方位を地図表示領域６ｅに表示されている地図上に表示する。これにより、使用者が画像上で指定した位置の方位を地図上に表示することができ、画像中の主要被写体や背景と地図上の位置との対応関係を容易に把握できる。
【００３８】
また、一実施の形態とその変形例によれば、地図表示領域６ｅに表示されている地図上の任意の位置の撮影位置からの方位を演算し、演算された地図上の任意の位置の方位を画像表示領域６ｃに表示されている画像上に表示する。これにより、使用者が地図上で指定した位置の方位を画像上に表示することができ、画像中の主要被写体や背景と地図上の位置との対応関係を容易に把握できる。
【００３９】
一実施の形態とその変形例によれば、撮影情報に基づいて地図表示領域６ｅの表示地図上に撮影距離を表示するようにしたので、主要被写体の地図上での位置を容易に把握できる。
【００４０】
一実施の形態とその変形例によれば、撮影情報に基づいて地図表示領域６ｅの表示地図上に被写界深度の階調表示を行うようにしたので、画像のピントの合っている範囲を地図上で容易に把握することができる。
【００４１】
一実施の形態とその変形例によれば、３次元地図データの中から画像データの撮影情報に基づいて画像の撮影位置と３次元の撮影範囲を包含する３次元地図を切り出し、切り出された３次元地図を表示装置６の地図表示領域６ｅに表示するとともに、３次元の撮影範囲を四角錐形状で表示するようにしたので、画像中の主要被写体や背景と３次元地図上の位置との対応関係を容易に把握できる。
【００４２】
一実施の形態とその変形例によれば、画像表示領域６ｃの表示画像上にトリミング領域が設定された場合にはトリミング領域に応じた地図を切り出し、切り出されたトリミング領域に応じた地図を地図表示領域６ｅに表示するようにしたので、トリミング後の画像中の主要被写体や背景と地図上の位置との対応関係をリアルタイムに把握できる。
【符号の説明】
【００４３】
１；撮影情報処理装置、２；記憶装置、３；操作装置、４；インターフェース、５；コンピュータ、５ａ；ＣＰＵ、５ｂ；メモリ、６；表示装置、７；通信装置
【図１】
2013183217.tif 000003
【図２】
2013183217.tif 000004
【図３】
2013183217.tif 000005
【図４】
2013183217.tif 000006
【図５】
2013183217.tif 000007
【図６】
2013183217.tif 000008
【図７】
2013183217.tif 000009
【図８】
2013183217.tif 000010
【図９】
2013183217.tif 000011